(57)【要約】【課題】機器の誤操作を防ぐとともにユーザの操作性を損なうことがなく、操作頻度の高い機能の操作性に優れる携帯型音楽再生装置を提供する。【解決手段】表示部１１の近傍にメニュー画面を表示させるスタートスイッチ１２０と、表示されている画面の１段階前の画面に戻って表示させるバックスイッチ１２１とを設けたので、画面の視認性を阻害することなく操作頻度の高いメニュー画面を容易に呼び出すことができる。特に、スタートスイッチ１２０の機能がオペレーティングシステムに基づいて割り当てられるものであるので、同一のオペレーティングシステムを搭載した携帯型音楽再生装置１であれば操作性の差異はなく、スイッチの機能を改めて習熟する必要がないので操作性に優れる。【選択図】図１
2007249853.tif 000002
【特許請求の範囲】
【請求項１】
表示部を有する本体と、
前記本体に設けられて押釦操作に基づいてメニュー画面を前記表示部に表示させるスタートスイッチと、
前記本体に設けられて押釦操作に基づいて前記表示部に表示されている表示画面の１段階前の表示画面を表示させるバックスイッチと、
前記表示部、前記スタートスイッチ、および前記バックスイッチを含む領域を面状に保護する保護パネルとを有することを特徴とする携帯型音楽再生装置。
【請求項２】
表示部を有する本体と、
前記本体に設けられて押釦操作に基づいてメニュー画面を前記表示部に表示させるスタートスイッチと、
前記本体に設けられて押釦操作に基づいて前記表示部に表示されている表示画面の１段階前の表示画面を表示させるバックスイッチと、
前記表示部に表示される表示画面の項目を選択する複数の方向キーおよび決定キーを含む複合スイッチと、
前記表示部、前記スタートスイッチ、前記バックスイッチ、および前記複合スイッチを含む領域を面状に保護する保護パネルとを有することを特徴とする携帯型音楽再生装置。
【請求項３】
表示部を正面に有する本体と、
前記本体の正面に設けられて押釦操作に基づいてメニュー画面を前記表示部に表示させるスタートスイッチと、
前記本体の正面に設けられて押釦操作に基づいて前記表示部に表示されている表示画面の１段階前の表示画面を表示させるバックスイッチと、
前記表示部に表示される表示画面の項目を選択する複数の方向キーおよび決定キーを含む複合スイッチと、
前記表示部、前記スタートスイッチ、前記バックスイッチ、および前記複合スイッチを含む領域を面状に保護する保護パネルとを有することを特徴とする携帯型音楽再生装置。
【請求項４】
前記保護パネルは、無色透明な樹脂材料によって各スイッチの誤操作を生じることのない厚さで形成されている請求項１から３のいずれか１項に記載の携帯型音楽再生装置。
【請求項５】
前記保護パネルは、前記スタートスイッチおよび前記バックスイッチの側面が露出するように形成されている請求項１から４のいずれか１項に記載の携帯型音楽再生装置。
【発明の詳細な説明】
【技術分野】
【０００１】
本発明は、本体内の記憶部に格納された音声、画像、ビデオ等のデータの再生が可能な携帯型音楽再生装置に関し、特に、機器の誤操作を防ぐとともにユーザの操作性を損なうことがなく、操作頻度の高い機能の操作性に優れる携帯型電子機器に関する。
【背景技術】
【０００２】
近年、携帯型音楽再生装置としてハードディスクドライブやフラッシュメモリ等の記憶部を有し、この記憶部に記憶された音楽データを再生し、ヘッドホン等の出力部から音声出力するものが知られている。
【０００３】
このような携帯型音楽再生装置は、近年多機能化が進み、音楽再生だけでなく、デジタルカメラ等で撮影した画像データを記憶部に格納し、これを表示部に表示させることによるビューワーとして用いたり、動画（ビデオ）データを再生して音声とともに鑑賞したり、内蔵されたチューナーで電波を受信してラジオとして機能するものが提案されている。
【０００４】
携帯型音楽再生装置においては、上記した機能を効率良く管理するために、各機能を階層化したメニューによって、必要な機能を容易に呼び出すことができるように構成されている。メニューの呼び出しおよび操作を行う入力部として、例えば、液晶表示部の設けられる本体正面に十字キーと、十字キーの中心に設けられるエンターキーと、十字キーの周囲にナビキー、起動キー、メニューキーを設けた携帯型音楽再生装置があり、これらのキー操作部が平坦状となるように形成されている（例えば、特許文献１参照。）。
【特許文献１】特開２００４−１１８４３７号公報
【発明の開示】
【発明が解決しようとする課題】
【０００５】
しかし、特許文献１によれば、キー操作部の平坦化によってキーが不用意に押されることによる誤操作を防ぐことができるが、ユーザに操作感を与えにくいため、操作に不慣れであると指先の感覚だけで適切な操作を行うことが難しく、そのためにキー操作部を見ながら操作すると煩わしいという問題がある。このような携帯型音楽再生装置の操作系では機器毎にキー配列だけでなく機能の割り当てや操作が異なることから、複雑な操作性を排斥して習熟性によらずに感覚的に操作を行うことのできるキー配列および機能配分が望まれる。特に、機器が小型化するに伴い、操作頻度の高い機能についてはより優れた操作性を有することが重要である。
【０００６】
従って、本発明の目的は、機器の誤操作を防ぐとともにユーザの操作性を損なうことがなく、操作頻度の高い機能の操作性に優れる携帯型音楽再生装置を提供することにある。
【課題を解決するための手段】
【０００７】
本発明は、上記の目的を達成するため、表示部を有する本体と、前記本体に設けられて押釦操作に基づいてメニュー画面を前記表示部に表示させるスタートスイッチと、前記本体に設けられて押釦操作に基づいて前記表示部に表示されている表示画面の１段階前の表示画面を表示させるバックスイッチと、前記表示部、前記スタートスイッチ、および前記バックスイッチを含む領域を面状に保護する保護パネルとを有する携帯型音楽再生装置を提供する。
【０００８】
また、本発明は、上記の目的を達成するため、表示部を有する本体と、前記本体に設けられて押釦操作に基づいてメニュー画面を前記表示部に表示させるスタートスイッチと、前記本体に設けられて押釦操作に基づいて前記表示部に表示されている表示画面の１段階前の表示画面を表示させるバックスイッチと、前記表示部に表示される表示画面の項目を選択する複数の方向キーおよび決定キーを含む複合スイッチと、前記表示部、前記スタートスイッチ、前記バックスイッチ、および前記複合スイッチを含む領域を面状に保護する保護パネルとを有する携帯型音楽再生装置を提供する。
【０００９】
また、本発明は、上記の目的を達成するため、表示部を正面に有する本体と、前記本体の正面に設けられて押釦操作に基づいてメニュー画面を前記表示部に表示させるスタートスイッチと、前記本体の正面に設けられて押釦操作に基づいて前記表示部に表示されている表示画面の１段階前の表示画面を表示させるバックスイッチと、前記表示部に表示される表示画面の項目を選択する複数の方向キーおよび決定キーを含む複合スイッチと、前記表示部、前記スタートスイッチ、前記バックスイッチ、および前記複合スイッチを含む領域を面状に保護する保護パネルとを有する携帯型音楽再生装置を提供する。
【発明の効果】
【００１０】
本発明によれば、機器の誤操作を防ぐとともにユーザの操作性を損なうことがなく、操作頻度の高い機能について優れた操作性を付与することができる。
【発明を実施するための最良の形態】
【００１１】
（発明の実施の形態）
図１は、本発明の実施の形態に係る携帯型音楽再生装置を示し、（ａ）は上面図、（ｂ）は正面図、（ｃ）は底面図、（ｂ）は右側面図である。
【００１２】
この携帯型音楽再生装置１は、楽曲や録音された音声のデータ（以下、「ミュージックデータ」という。）、写真や画像等のデータ（以下、「ピクチャーデータ」という。）、動画のデータ（以下、「ビデオデータ」という。）を扱うことができる。
【００１３】
また、この携帯型音楽再生装置１は、ＦＭチューナーを内蔵しており、ラジオ機能を選択することによってＦＭ放送を受信することができる。
【００１４】
（携帯型音楽再生装置１の構成）
携帯型音楽再生装置１は、本体１０の正面に設けられる表示部と、本体１０の正面、右側面、および上面に設けられる複数のスイッチからなるスイッチ部と、本体１０の上面、右側面、および底面に設けられる端子部とを含んで構成されている。
【００１５】
本体１０は、樹脂材料および金属材料によって箱状に形成されており、電源としてのリチウムイオンバッテリーと、ＭＰ３、ＷＡＶ等のフォーマットのミュージックデータ、ＪＰＥＧ、ＢＭＰ等のフォーマットのピクチャーデータ、ＭＰＥＧ２等のビデオデータを格納するハードディスクドライブからなる記憶部と、各スイッチおよび入出力の端子部を制御する回路部品を収容している。
【００１６】
本実施の形態の携帯型音楽再生装置１に内蔵されるリチウムイオンバッテリーは、ＵＳＢ（Universal Serial Bus）端子にＵＳＢケーブル等を介して接続される外部機器（例えば、パーソナル・コンピュータ：ＰＣ）から供給される電力に基づいて充電されるように構成されている。
【００１７】
表示部は、本体１０の正面に設けられるカラー液晶パネルからなる表示部１１であり、各機能を表示するメニュー画面のほか、メニュー画面で指定されたメニューに基づく操作画面をカラー表示する。
【００１８】
スイッチ部は、携帯型音楽再生装置１の電源のＯＮ／ＯＦＦ、メニュー選択操作、および再生等の種々の操作を行うものであり、本体１０の正面には、表示部１１の下部近傍に設けられて後述するスタート画面を呼び出すためのスタートスイッチ１２０と、表示部１１に表示されている画像の表示前の画像に戻って表示させるバックスイッチ１２１と、操作キー１２２Ａ〜１２２Ｄを十字方向に配置したプラススイッチ１２２と、プラススイッチ１２２の中央に設けられる決定スイッチ１２３とを有する。プラススイッチ１２２と決定スイッチ１２３は複合スイッチを構成しており、スタートスイッチ１２０は、記憶部２０４に格納されているオペレーティングシステムに基づいて機能が割り当てられている。
【００１９】
また、スイッチ部は、本体１０の右側面に電源ＯＮ／ＯＦＦを行うための電源スイッチ１２４と、再生音量を調節するための音量スイッチ１２５と、再生状態の早送り、および次の再生データへの送り（スキップ）を行うスキップスイッチ１２６と、再生状態の頭出し、および前の再生データへの戻りを行うスキップスイッチ１２７と、選択されたミュージック、画像、ビデオ等のデータを再生させるための再生スイッチ１２８と、本体１０に設けられるスイッチ部に対する入力を無効にするロックスイッチ１２９とを有する。
【００２０】
電源スイッチ１２４は、スイッチを一定時間長押しすることによって携帯型音楽再生装置１をＯＦＦ状態からＯＮ状態に、また、ＯＮ状態からＯＦＦ状態に動作させる。
【００２１】
ロックスイッチ１２９は、スイッチを一定時間長押しすることによって本体１０に設けられる全スイッチの操作の無効化を図る。また、ホールドモードで全スイッチ操作が無効となっている状態で一定時間長押しすることによってホールドモードが解除される。
【００２２】
端子部は、本体１０の上面に設けられるヘッドホン端子１３０と、本体１０の右側面に設けられる外部電源端子１３３と、本体１０の底面に設けられるＵＳＢ端子１３１と、クレードル搭載時に接続されてデータ転送および電源の供給を行うための拡張コネクタ１３２とを有する。
【００２３】
また、本体１０の正面には、表示部１１の前面を可視的に覆うとともに、スタートスイッチ１２０、およびバックスイッチ１２１の周囲を部分的に覆う透明なアクリル樹脂からなる保護パネル１１１が設けられており、この保護パネル１１１は、スタートスイッチ１２０およびバックスイッチ１２１の操作性を損ねることがないようにプラススイッチ１２２側が露出した構成を有し、その厚さは、スタートスイッチ１２０およびバックスイッチ１２１の操作量の約半分であって、保護パネル１１１に面的な外力が付加されてもスイッチの誤操作を生じることのない厚さである。
【００２４】
図２は、本発明の実施の形態に係る携帯型音楽再生装置の主要な回路ブロック図である。なお、各部の符号について、前述した各図面で説明した構成と同一のものについては共通の引用数字を付している。
【００２５】
制御部２００は、時計機能、ミュージックデータのデコード、ミュージックおよびピクチャーのファイルシステム管理、再生モード設定、ミュージックデータ再生時のイコライザー設定、後述する省電力表示モード設定、ユーザーインターフェース制御を行う。
【００２６】
操作部２０１は、本体１０に設けられる各スイッチの操作に応じた操作信号を制御部２００に出力する。
【００２７】
デコード部２０２は、保有するコーデックに基づいてミュージックおよびビデオのデータをデコードして出力する。
【００２８】
メモリ２０３は、種々のプログラムの実行時におけるプログラム実行領域、およびプログラムの実行に伴って生成される一時データを格納する。
【００２９】
記憶部２０４は、携帯型音楽再生装置１を動作させるためのオペレーティングシステム、テレビ、ミュージック、ピクチャー、およびビデオの管理に必要な管理データ、再生に必要なコーデック等のプログラム、そしてミュージックデータ、ピクチャーデータ、およびビデオデータを記憶する。
【００３０】
表示制御部２０５は、ミュージックおよびピクチャーのデータ、時計表示等の設定に係るメニュー項目（オーディオ、アプリ、設定）について体系化され、記憶部２０４に記憶された管理データを参照し、表示部１１の画像表示を制御する。なお、管理データは、前述したメニュー項目毎にさらに複数の項目をグループ化した構成を有する。
【００３１】
駆動回路２０６は、ユーザ操作に基づく表示画面に応じたデータを制御部２００からバス２０９を介して入力することにより表示部１１を駆動制御する。
【００３２】
音声出力部２０７は、デコード部２０２でデコードされたミュージックデータを、バス２０９を介して入力し、アナログデータに変換してヘッドホン端子１３０に出力する。
【００３３】
インターフェース（Ｉ／Ｆ）部２０８は、ＵＳＢ端子１３１等に外部機器が接続されたとき、バス２０９に対してミュージック、ピクチャー、またはビデオあるいはその両方のデータの入出力を制御する。
【００３４】
図３は、本実施の形態に係るスタートスイッチの操作を基点とするメニュー表示の状態遷移図である。
【００３５】
図３において、携帯型音楽再生装置１が電源ＯＮにある状態でスタートスイッチ１２０を操作することにより、表示部１１にスタート画面１１０Ａが表示される。ここで、スタート画面１１０Ａは、「テレビ」、「ミュージック」、「ピクチャー」、「ビデオ」、「ラジオ」、および「設定」のメニュー項目が表示されている。
【００３６】
ここで、「テレビ」は、オペレーティングシステムにWindows Media Center（登録商標）を搭載したパーソナル・コンピュータ（ＰＣ）装置と携帯型音楽再生装置１とをＵＳＢ端子１３１を介して接続し、このＰＣ装置で録画された動画を携帯型音楽再生装置１に転送することによって格納されるコンテンツに対するメニューであり、「ビデオ」で管理されるコンテンツは上記したWindows Media Center以外のオペレーティングシステムによって稼動するＰＣ装置で作成されたもの、あるいは購入したコンテンツである点について相違する。
【００３７】
スタート画面１１０Ａが表示部１１に表示された状態で、本体１０に設けられるプラススイッチ１２２の操作キー１２２Ａ又は１２２Ｃを操作することによりカーソル１１０ａがメニュー項目上を移動する。選択されたメニュー項目上でプラススイッチ１２２の操作キー１２２Ｄを操作することによって選択されたメニュー項目に対応するメニュー画面が表示される。
【００３８】
図３においては、「ミュージック」をカーソル１１０ａで選択した状態で操作キー１２２Ｄを操作することによりミュージックメニュー１１０Ｃが表示部１１に表示される（Ｐ）。また、ミュージックメニュー１１０Ｃが表示された状態でバックスイッチ１２１を操作することにより、スタート画面１１０Ａが表示される（Ｂ）。このプラススイッチ１２２とバックスイッチ１２１の操作に基づく表示切替動作については、他のメニュー（テレビメニュー１１０Ｂ、ピクチャーメニュー１１０Ｄ、ビデオメニュー１１０Ｅ、ラジオメニュー１１０Ｆ、および設定メニュー１１０Ｇ）についても同様である。
【００３９】
図４は、図３に示すミュージックメニューの操作に応じて表示されるメニュー階層を示す階層構造図であり、（ａ）は第１階層、（ｂ）は第２階層、（ｃ）は第３階層を示す。
【００４０】
図４（ａ）に示す第１階層は、格納されている楽曲のジャンルを示すものであり、第１階層の表示画面１１０１には、ジャンルについてを表示することを示す階層内容表示部１１０１Ａと、メニュー項目１１０１Ｃを選択するカーソル１１０１Ｂとが含まれている。この表示画面１１０１では、「すべて再生」が選択された状態を示しており、プラススイッチ１２２の決定スイッチ１２３を押すことによって格納されている楽曲すべてを順次再生する。
【００４１】
図４（ｂ）に示す第２階層は、格納されている楽曲についてアルバム毎に示すものであり、第１階層が表示された状態でプラススイッチ１２２の操作キー１２２Ｄを押すことによって表示される。この第２階層の表示画面１１０１には、アルバムについて示す階層内容表示部１１０１Ａと、アルバム情報およびアーティスト情報を示すメニュー項目１１０１Ｃを選択するカーソル１１０１Ｂとが含まれている。同図においては、アーティスト１のアルバム１が選択されている。また、プラススイッチ１２２の操作キー１２２Ａを押すことによって第１階層の表示画面１１０１に戻る。
【００４２】
図４（ｃ）に示す第３階層は、アルバム１の全てのトラックを示すものであり、第２階層が表示された状態でプラススイッチ１２２の操作キー１２２Ｄを押すことによって表示される。この第３階層の表示画面１１０１には、アルバム１のトラックについて示す階層内容表示部１１０１Ａと、トラックを示すメニュー項目１１０１Ｃを選択するカーソル１１０１Ｂとが含まれている。同図においては、トラック１が選択されている。この状態でプラススイッチ１２２の決定スイッチ１２３を押すことによってトラック１の再生が行われる。また、プラススイッチ１２２の操作キー１２２Ａを押すことによって第２階層の表示画面１１０１に戻る。
【００４３】
図５は、あるメニューを実行中に他のメニューを選択した場合のマルチタスクについて示すフローチャートである。
【００４４】
本実施の形態の携帯型音楽再生装置１では、スタートスイッチ１２０を操作することによってスタート画面１１０Ａを呼び出せることから、あるメニューを実行中であっても他のメニューをスタートスイッチ１２０の操作に基づいて起動させることが可能である。しかしながら、先に実行中のメニューに基づく再生処理と同等の処理を行うメニューの場合には、両者を成立させることはできない。そこで、並列処理が可能なメニューか否かによって異なる再生処理が行われる。以下の説明においては、携帯型音楽再生装置１でピクチャーの再生中にスタートスイッチ１２０を操作することによって他のメニューが選択される場合について説明する。
【００４５】
まず、ユーザはスタートスイッチ１２０を操作することによってスタート画面１１０Ａを呼び出し、プラススイッチ１２２の操作キー１２２Ａ又は１２２Ｃを操作してピクチャーメニューを選択することによりピクチャー再生を実行させる（Ｓ１）。
【００４６】
ピクチャー再生中に、ユーザがスタートスイッチ１２０を操作して他のメニューを選択すると（Ｓ２：ＹＥＳ）、携帯型音楽再生装置１の制御部２００は、選択されたメニューがミュージックであるとき（Ｓ３：ＹＥＳ）、異なるメニューの並列処理が可能であると判断してマルチタスクを実行する（Ｓ４）。
【００４７】
また、選択されたメニューがミュージックでないとき（Ｓ３：ＮＯ）、そのメニューの種別を判定する。ここで、選択されたメニューがテレビ、ビデオ、あるいはラジオである場合（Ｓ５：ＹＥＳ）には、ピクチャー再生との並列処理が不可能であるので、ピクチャー再生を排他的に終了し（Ｓ６）、選択されたメニューに基づく機能を実行させる（Ｓ７）。
【００４８】
また、設定メニューが選択された場合（Ｓ５：ＮＯ）については、並列処理が可能であるのでマルチタスクを実行する（Ｓ４）。
【００４９】
（発明の実施の形態の効果）
上記した実施の形態によると、表示部１１の近傍にメニュー画面を表示させるスタートスイッチ１２０と、表示されている画面の１段階前の画面に戻って表示させるバックスイッチ１２１とを設けたので、画面の視認性を阻害することなく操作頻度の高いメニュー画面を容易に呼び出すことができる。特に、スタートスイッチ１２０の機能がオペレーティングシステムに基づいて割り当てられるものであるので、同一のオペレーティングシステムを搭載した携帯型音楽再生装置１であれば操作性の差異はなく、スイッチの機能を改めて習熟する必要がないので操作性に優れる。
【００５０】
また、表示部１１からスタートスイッチ１２０およびバックスイッチ１２１にかけて透明な保護パネル１１１で本体１０の正面を保護しているので、カラー液晶パネルの損傷を防ぐことができる。また、携帯型音楽再生装置１の正面を下にして置かれたような場合や、正面に面的な力が加えられた場合であっても、正面に設けられる各スイッチの誤操作を防ぐことができる。また、保護パネル１１１のプラススイッチ１２２側を露出した構成を有することで、スタートスイッチ１２０、バックスイッチ１２１、プラススイッチ１２２、および決定スイッチ１２３を操作するにあたっての指の動きを阻害せず、かつスイッチの良好な操作感が得られる。
【００５１】
なお、保護パネル１１１の形状について、図１に示すような形状に限定されることなく、例えば、図６に示すようにプラススイッチ１２２の下側まで包囲するように保護面積の拡大された形状を有するものであっても良い。
【００５２】
なお、本発明は、上記した実施の形態に限定されず、本発明の技術思想を逸脱あるいは変更しない範囲内で種々な変形が可能である。
【図面の簡単な説明】
【００５３】
【図１】本発明の実施の形態に係る携帯型音楽再生装置を示し、（ａ）は上面図、（ｂ）は正面図、（ｃ）は底面図、（ｂ）は右側面図である。
【図２】本発明の実施の形態に係る携帯型音楽再生装置の主要な回路ブロック図である。
【図３】本実施の形態に係るスタートスイッチの操作を基点とするメニュー表示の状態遷移図である。
【図４】図３に示すミュージックメニューの操作に応じて表示されるメニュー階層を示す階層構造図であり、（ａ）は第１階層、（ｂ）は第２階層、（ｃ）は第３階層を示す。
【図５】あるメニューを実行中に他のメニューを選択した場合のマルチタスクについて示すフローチャートである。
【図６】本発明の実施の形態に係る携帯型音楽再生装置に設けられる保護パネルの他の形状を示す正面図である。
【符号の説明】
【００５４】
１…携帯型音楽再生装置、１０…本体、１１…表示部、１１０Ａ…スタート画面、１１０ａ…カーソル、１１０Ａ…スタート画面、１１０Ｂ…テレビメニュー、１１０Ｃ…ミュージックメニュー、１１０Ｄ…ピクチャーメニュー、１１０Ｅ…ビデオメニュー、１１０Ｆ…ラジオメニュー、１１０Ｇ…設定メニュー、１１１…保護パネル、１２０…スタートスイッチ、１２１…バックスイッチ、１２２…プラススイッチ、１２２Ａ〜１２２Ｄ…操作キー、１２３…決定スイッチ、１２４…電源スイッチ、１２５…音量スイッチ、１２６…スキップスイッチ、１２７…スキップスイッチ、１２８…再生スイッチ、１２９…ロックスイッチ、１２９…ロックスイッチ、１３０…ヘッドホン端子、１３１…ＵＳＢ端子、１３２…拡張コネクタ、１３３…外部電源端子、２００…制御部、２０１…操作部、２０２…デコード部、２０３…メモリ、２０４…記憶部、２０５…表示制御部、２０６…駆動回路、２０７…音声出力部、２０８…Ｉ／Ｆ部、２０９…バス、１１０１…表示画面、１１０１Ａ…階層内容表示部、１１０１Ｂ…カーソル、１１０１Ｃ…メニュー項目
【図１】
2007249853.tif 000003
【図２】
2007249853.tif 000004
【図３】
2007249853.tif 000005
【図４】
2007249853.tif 000006
【図５】
2007249853.tif 000007
【図６】
2007249853.tif 000008